(57)【特許請求の範囲】
【請求項１】
ビデオ信号列ドライバ入力を受け取ってフラットパネルディスプレイのピクセル列に画像信号を供給する複数の列ドライブ手段を有するフラットパネルディスプレイにおいて、セレクタスイッチを介して列ドライブ手段から画像信号を個別に読み出し、電圧誤差補償を行うコンバーゼンス回路であって、該コンバーゼンス回路は、更に、
基準信号を出力する基準電圧源と、
上記列ドライブ手段と上記セレクタスイッチによって電子的に結合されてなり、上記列ドライブ手段各々からの上記画像信号を上記基準信号と比較して列ドライブ手段各々の誤差信号を出力する比較手段と、
上記列ドライブ手段により出力される上記画像信号と基準信号との差に比例する誤差信号をその誤差信号が発生した列ドライブ手段に対応するアドレスに従って記憶する第１のメモリ手段と、
ビデオ信号によってドライブされている列ドライブ手段に対応する誤差信号を上記第１のメモリ手段から取り出し、修正誤差信号を生成すべく上記ビデオ信号の列ドライバ入力の利得に従って上記誤差信号を修正する手段と、
上記列ドライバ入力の利得に従って修正された誤差信号をピクセル列に対応するアドレスに従って記憶する第２のメモリ手段と、
上記修正誤差信号を上記第２のメモリから上記ビデオ信号列ドライバ入力と同期して取り出し、その修正誤差信号を上記ビデオ信号の列ドライバ入力と結合して、各ドライブ手段によりドライブされているピクセル列について電圧誤差補償を行う手段と、
を具備したコンバーゼンス回路。
【請求項２】
上記基準信号と上記画像信号との比較を１フレーム分の画像信号について行う請求項１記載のコンバーゼンス回路。
【請求項３】
上記修正誤差信号を上記ビデオ信号列ドライバ入力に加える加算器をさらに具備した請求項１記載のコンバーゼンス回路。
【請求項４】
マイクロコントローラまたはマイクロプロセッサを用いて、上記セレクタスイッチを制御し、上記メモリに記憶された誤差信号にアドレスを指定し、その誤差信号に比例する上記修正誤差信号を発生し、その修正誤差信号を第２のメモリ手段に記憶し、この修正誤差信号を、上記ビデオ信号列ドライバ入力及び現在ドライブされているドライブ手段と同期して上記加算器に供給する請求項３記載のコンバーゼンス回路。
【請求項５】
上記誤差信号が発生し、上記第１のメモリ手段に記憶されるとき、上記基準電圧源はゼロボルトであり、上記ビデオ信号列ドライバ入力はそれに対応したレベルである請求項４記載のコンバーゼンス回路。
【請求項６】
上記セレクタスイッチが液晶ディスプレイの全ての列に各々接続されている請求項１記載のコンバーゼンス回路。
【請求項７】
上記セレクタスイッチが上記各ドライブ手段の１列に接続されている請求項１記載のコンバーゼンス回路。
【請求項８】
上記フラットパネルディスプレイが能動マトリクス型である請求項１記載のコンバーゼンス回路。
【請求項９】
上記フラットパネルディスプレイが受動マトリクス型である請求項１記載のコンバーゼンス回路。
【請求項１０】
ビデオ信号列ドライバ入力を受け取ってフラットパネルディスプレイのピクセル列に画像信号を供給する複数の列ドライブ手段を有するフラットパネルディスプレイの誤差信号を低減するための方法であって、
上記フラットパネルディスプレイの複数の列ドライブ手段の個々についてひとつのピクセル列を指定して監視する第１のステップを具備し、さらに、各列ドライブ手段について
基準信号を供給するステップと、
上記第１のステップで指定されたピクセル列上のドライブされている列の画像信号の大きさを上記基準信号と比較し、ドライブされているピクセル列上の該信号と該基準信号との差である誤差信号を発生するステップと、
上記誤差信号をドライブされているピクセル列に対応づけられた第１のアドレスによって第１のメモリに記憶するステップと、
フラットパネルディスプレイの動作中に、上記メモリから誤差信号を取り出し、修正誤差信号を生成すべくその誤差信号を上記ビデオ信号の列ドライバ入力の利得に従って修正するステップと、
その修正誤差信号をドライブされている該ピクセル列に対応する第２のアドレスによって第２のメモリに記憶するステップと、
上記誤差信号に対応する各ピクセル列がドライブされているときに上記修正誤差信号をビデオ信号列ドライバ入力に同期して上記第２のメモリから取り出し、ビデオ信号列ドライバ入力に加えるステップと、
を具備した方法。
【請求項１１】
フラットパネルディスプレイが黒ビデオを表示しており、上記ビデオ信号列ドライバ入力が既知の値である所定のテスト期間中に上記誤差信号を発生させる請求項１０記載の方法。
【請求項１２】
上記ビデオ信号列ドライバ入力は、上記テスト期間中、ゼロボルトの基準信号電圧に対応する入力である請求項１１記載の方法。
【請求項１３】
上記誤差信号を列入力信号に等しいレベルに設定し、上記誤差信号を発生させるために使用した列入力信号をフラットパネルディスプレイ上に生成される画像に反映させる請求項１１記載の方法。
【請求項１４】
上記基準信号が上記指定されたピクセル列上の信号の大きさに対応する請求項１３記載の方法。
【請求項１５】
上記誤差信号を、フラットパネルディスプレイ上に生成される画像上で視覚的に気にならないよう、フラットパネルディスプレイの動作中短い期間だけ発生させる請求項１１記載の方法。
【発明の詳細な説明】
発明の分野
本発明は、フラットパネルディスプレイに関し、より詳しくは、フラットパネルディスプレイにおけるストリーキング及びその他の表示異常を除去する技術に関する。
発明の背景
液晶表示装置（ＬＣＤ）は、多くの用途でブラウン管（ＣＲＴ）に取って代わることが可能な表示装置として開発されている。ＬＣＤ技術は、信頼度が高く、電力消費、寸法及び重量が小さいなど、多くの長所がある。しかしながら、目下の開発の現状においては、ＬＣＤの画像レンダリング性能は、ＣＲＴで達成可能な性能には及ばない。本発明は、特にビデオ信号が黒画面を要求したとき表示画面上に縦ストリーキングが現れる技術上の問題を解消しようとするものである。
ストリーキング障害の原因は、まず典型的な液晶ディスプレイの動作について簡単に説明しておく方が理解し易い。周知のように、ＬＣＤは、行列状に整列された一連の液晶セルで構成されている。これらの液晶セルの間には行線及び列線が走っていて、入力ビデオ信号に従って個々のセルをオン／オフする電圧信号を伝達する。各特定の画素すなわちピクセルがどれだけオンになるかは、列線の電圧レベルによって制御される。たとえば、列線上の電圧０ボルトは、全「オフ」（黒）の画素であり、２０ボルトは全「オン」の画素を示す等である。これらの電圧信号は、列ドライバによって列線に供給される。列ドライバは、生ビデオ信号と共にいくつかのクロックパルス及び同期パルスを受け取り、ＣＲＴの場合と同様、画素をラスタ走査形式でアクティブにするように列ドライバと同期して電圧信号を出力する。画素は、一時に１列当たり１画素（１行には多数の列がある）がアクティブになり、画像は連続的にリフレッシュされる。
ＬＤＣにおけるドライバ機構は、通常、相互に接続された一連の集積回路（ＩＣ）で構成される。それらの各ＩＣは、一定数の全ての列に画像信号を送る役割を有する。ディスプレイの動作中は、様々な発生源から電圧誤差が列線に入り込む。ドライバ中の全ての電子部品は、列線上に送り出される信号にたとえ僅かでも電圧を付加する可能性がある。異なるＩＣは、互いに異なる一組の列をドライブするので、ＩＣ間の僅かな差違でも列上を伝達される電圧レベルに差を生じ得る。
たとえば、２０ボルト信号でドライブされたときピークグレー（白）となる直線状パネルがあると仮定する。このようなディスプレイの場合、線が約０．１２ボルト低い電圧でドライブされた場合に最小可知差異（just noticeable difference ＪＮＤ）が現れると思われる。この値は、人間の視覚モデルから導き出すことができる。このようなモデルによると、黒を表示する場合、あるＪＮＤを得るのに必要な輝度変化が小さいので、最悪の事態が起こる。その輝度は、列線を黒の場合より０．００６ボルト高い電圧でドライブすることに相当する。要求される性能条件は、グラフィックスの場合で、電圧許容誤差が０〜１８ボルトの範囲において±３ミリボルトであるということを前提としている。この許容誤差範囲に従うことは、特に、ドライバに使用される標準的なＣＭＯＳオペアンプは通常±１５０ミリボルトのオフセットを呈するということから見て困難であろう。スイッチアレイ及び精密級電圧源を用いたドライバによる方法が最も優れた方法になっているが、この方法も、グレースケールがアナログのそれに近づく（すなわちグレーレベル数が多くなる）につれて、うまく対応できなくなっている。従って、液晶ディスプレイ用の電子回路設計における目標は、ドライバの動作範囲全体にわたって誤差電圧をなくすか、または大幅に低減することである。
日本国特許第ＪＰ５２６５４４０５号には、フラットパネルディスプレイにおけるドライバの誤差補正を行うためのシステムが開示されている。このシステムでは、各ドライバの誤差を垂直同期期間中に測定し、その値をメモリに記憶する。そして、各ドライバがアクティブのときに、適切な大きさの電圧をその値から減じるようになっている。
本発明の目的は、液晶ディスプレイの電圧オフセット補償手段を提供することにより、ディスプレイの動作範囲全体にわたってストリーキングが生じないようにすることにある。
発明の概要
本願は、フラットパネルディスプレイ用の誤差コンバーゼンス回路を開示するものである。本発明の誤差コンバーゼンス回路は、ビデオ信号を受け取り、液晶マトリクス中の個々の画素用の画像信号を列線を介して送り出す列ドライバを有するフラットパネルディスプレイに実装される。誤差コンバーゼンス回路は、所定の表示列上に送られる画像信号を受け取るようにドライバと電気的に接続されたセレクタスイッチ（セレクタスイッチ）を有する。このセレクタスイッチは、画像信号の電圧を基準電圧と比較する電圧測定手段である。これら２つの信号間の電圧差は、画像信号を出力する各ドライバとの一対一の対応関係を有する誤差信号としてメモリに記憶される。この誤差信号は、誤差信号が発生した各特定のドライバがドライブされる毎に、メモリから読み出され、修正されて、入来ビデオ信号に加えられる。
動作について説明すると、セレクタスイッチは、異なるドライバがそれぞれ列上に画像信号を送るとき、ある特定のドライバを選択し、ある列上の画像信号出力の振幅を測定する。この電圧信号は、基準値と比較され、基準値より高いか、または低いと、その差に比例する誤差信号がメモリに記憶される。以後、この特定ドライバがドライブされる毎に、メモリがアクセスされて、その記憶誤差値に比例する信号が電圧オフセットを補償するようにビデオストリームに加えられる。
この誤差信号をビデオストリームに加えることによって、ディスプレイ上に生じるストリーキングがなくなる。この誤差コンバーゼンス回路は、各ドライバが、オペアンプ、トランジスタ、抵抗器、コンデンサなどを含むスイッチング素子により、また時間及び温度あるいは部品間変動を通じて積算される許容差により画像信号に導入され得る電圧誤差に関して補償されるように、各ドライバに入力される信号の大きさを変える。
【図面の簡単な説明】
図１は、従来技術のフラットパネルディスプレイシステムのブロック図である。
図２は、誤差コンバーゼンス回路を実装した本発明の一実施形態のブロック図である。
図３は、誤差コンバーゼンス回路の構成要素を示すブロック図である。
図４は、２×５フラットパネルディスプレイにおける行端クロック、最上行パルス及びピクセルクロック信号のタイミング図である。
図５は、本発明の第１の実施形態における１ドライバ当たり１本の列の組とセレクタスイッチとの間の電気的接続関係を詳細に示す図である。
図６は、本発明のもう一つの実施形態におけるドライバの各列とセレクタスイッチとの間の電気的接続関係を詳細に示す図である。
実施形態の説明
図１は、従来技術のフラットパネル表示システムの概略ブロック図である。図示のように、フラットパネルディスプレイ２は、液晶セルのマトリクスで形成されており、行ドライバ４及び列ドライバ１０の両方に接続されている。これらのドライバは、どちらも複数のＩＣドライバを含み、それら複数の各ＩＣチップはそれぞれ一定数の行及び列にわたって画像信号を供給する。これらのドライバには、ピクセルクロック、行端クロック５及び最上行パルス３のような様々なクロック信号が供給される。これらの信号の機能については、以下にさらに詳しく説明する。また、列ドライバには、ビデオ信号６が供給される。ビデオ信号には、変換してフラットパネルディスプレイ２上に表示される画像情報が入っている。
動作について説明すると、ビデオ信号は、線を介して入力され、列ドライバ１０に供給される。ビデオ信号は、列ドライバ１０に供給されるとき、行長シフトレジスタ（またはフラットパネルの全ての組の列をカバーできるよう並列に動作する一組のシフトレジスタ）にクロック同期で入力される。列ドライバには、電圧レベル変換器、増幅器及び／またはスイッチ、及び行長レジスタファイル等が入っている。行端パルスが入力されると、データはシフトレジスタからレジスタファイルへ転送され、レジスタファイルからさらにレベル変換器及び増幅器、及び／またはスイッチへ転送される。このようにして、個々の列ドライバＩＣチップは、画像信号を個々の列に転送する。画像を形成するため、列ドライバＩＣは、行ドライバによって行線を介して伝送される信号と同期して個々の液晶セルをアクティブにする。
上記のような従来技術のフラットパネル表示システムの欠点の一つは、どの種類のドライバにも、無視できないような大きさのオフセットが出力にはっきり現れるということである。これには、スイッチ及びその他のドライバの構成要素が、ビデオ信号に電圧誤差を付加し、それが全ての列にわたって伝送されることが考えられる。この電圧誤差は、画面上に縦ストリーキングとして現れる好ましくない視覚的アーティファクトを生じさせる。本発明の回路は、これらの縦ストリークやアーティファクトを除去するためにフラットパネル表示システムに組み込まれるものである。
誤差コンバーゼンス回路を具備した本発明のフラットパネル表示システムを図２に示す。従来技術のシステムと同様に、列及び行ドライバは、画像を生成するための信号をフラットパネルディスプレイに供給する。使用可能なフラットパネルディスプレイの種類は、列ドライバを用いた形態のもので、たとえば能動マトリクス型及び受動マトリクス型のものを使用することができる。行ドライバ及び列ドライバは、各々信号伝送を同期させるタイミング信号が供給される。このシステムの回路には、誤差コンバーゼンス回路２０及びセレクタスイッチ１２が具備されている。図２に示す特定の実施形態においては、セレクタスイッチはフラットパネルディスプレイに電気的に直結されている。これは、１つの実施形態に過ぎず、本発明の範囲を限定する意味を有するものではない。
セレクタスイッチは、列線及び誤差コンバーゼンス回路の両方と電気的に接続されており、列線を介して伝送される信号をルーティングする多目的スイッチからなる。このセレクタスイッチは、回転方式で特定の列に切り替わり、その信号を誤差コンバーゼンス回路２０へ導く。
誤差コンバーゼンス回路の構成要素を図３に詳細に示す。セレクタスイッチ１２を通過する画像信号は、誤差測定装置２２へ送られる。コントローラ２８からの制御信号は、セレクタスイッチをどの列と電気的に接続するかを決定する。誤差測定装置２２には、基準電圧２６が接続されている。図示実施形態における誤差測定装置は、比較器からなり、基準電圧はこの比較器の一方のノードに入力され、他方のノードには列からの画像信号が入力される。比較器の出力信号は、列電圧と基準電圧との差からなる誤差電圧である。
誤差測定装置２２は、誤差記憶装置２４と電気的に接続されている。この記憶装置は、ディスプレイの各列毎または各列グループ毎に誤差電圧値を記憶する。記憶装置への情報入力は、コントローラ２８の制御下で行われ、誤差電圧を生じた列または列グループに従ってメモリ中のアドレスが与えられる。コントローラ２８は、マイクロコントローラまたはマイクロプロセッサ型のデバイスである。マイクロコントローラは、誤差メモリ機能を実装するために使用できるスクラッチパッドメモリを具備することも可能である。コントローラ２８の一つの機能は、情報の流れを誤差メモリへ振り向け、あるいは誤差メモリからの情報の流れを振り分けることである。誤差信号がコントローラによって誤差記憶装置２４から直接読み出される図示実施形態においては、誤差信号は、ある関数、たとえば利得係数によって調整されてから、誤差補正装置２９に送られた後、生ビデオストリームと同期してリアルタイムで読み出される。誤差補正装置には、電圧誤差を除去するためにシステムが必要とする値が記憶される。しかしながら、このシステムの利得が１の場合は、誤差補正装置と誤差メモリは同じでもよく、同じデバイスとして実装することができる。しかし、これら２つのメモリは、誤差コンバーゼンス回路をドライブするのに必要な信号と異なる電圧オフセット及び振幅範囲を持つことが多い。誤差補正装置２９から読み出された修正誤差信号は、加算器３２を介してビデオストリームに加えられる。加算器３２は、ディジタルデバイスとして実装することも、アナログデバイスとして実装することも可能である。加算器を用いるのは一つの実装例であり、誤差補正を行うことができるものであれば、加算器に代えて任意の手段を列ドライバの入力に接続することができる。
行列タイミングブロック３０は基準タイミング信号あるいは行及び列タイミング信号または同期パルスと呼ばれる基準タイミング信号の誘導信号を出す。ディスプレイの行列タイミングは、Ｖ、Ｈ及びＰで示す３つの信号をアクセスすることによって取られる。Ｖは、走査時に画像の最下行に達したこと、そして画面の一番上から走査を開始し、画像を上から下へリフレッシュするタイミングであるということをシステムに知らせる最上行パルスである。Ｈ信号は、水平方向でＶと同様の機能を果たし、画面の右端に達したこと、そして左端に戻って新しい行の走査を開始するタイミングであるということをシステムに知らせる行端クロックである。Ｐ信号は、ピクセルクロックの略号で、生ビデオストリームが水平方向の場合に、画面の左縁からピクセルのカウントを開始するタイミングを指示する。上に述べたように、この信号は列位置を正確に求めるために使用される。コントローラは、これらの信号を用いて、所与の瞬間にどの列線が何ボルトの電圧であるべきかを決定する。たとえば、生ビデオストリームがコントローラに送られると、コントローラは、全ての位置について、各列に何ボルトの電圧があるべきかを決定することができる。これは、基準信号ブロックまたは誤差補正ブロック２９をドライブするために用いられる。
上記の同期信号の使い方を理解し易くするために、フラットパネルディスプレイの動作中に、アクティブになった特定プクセルの位置を決定し、識別する方法を図４のタイミング図を参照して説明する。このタイミング図は、幅５列×高さ２行のフラットパネル画面の場合示したものである。当技術分野においては周知のように、多くのフロッピィディスプレイは数１００万個のピクセルを有し、図示のディスプレイは、単に説明の便宜上簡略化した例を示したものでしかない。
本発明のシステムにおいては、タイミングパルスまたは同期パルスのレベル遷移は、ディスプレイの画像の走査においてある点に達したこと、及び画面上のもう一つの点から走査を開始すべきであるということを指示する。行端クロックのハイパルスは、左からカウントを再開できるように行カウンタをリセットする。同様に、最上行パルスは、画面の最下行に達したとき行カウントをリセットする。列カウンタと行カウンタとの組合せによって、ある特定時点で走査されている特定ピクセルを同定することができる。
電圧補正を行うための最初のステップは、それぞれ特定の列について誤差信号を得ることである。それには、セレクタスイッチを用いて、測定する列に接続を切り替え、それらの各列の画像信号を測定して、期待値と比較する。セレクタスイッチは、測定装置と組み合わせた時相互に対して低いオフセット電圧しか呈しないスイッチングデバイス技術を用いたものでなければならない。各列グループに取り付けられたスイッチ素子のオフセットは、絶対値で、あるいは相互に対して約６ミリボルト以下でなければならない。図示実施形態においては、この要求を満たすために、ＭＯＳＦＥＴスイッチングデバイスを使用している。入力と出力の間のオフセットが６ミリボルトよりはるかに小さくなるような設計を行うことも可能である。このような低オフセット電圧のＭＯＳＦＥＴスイッチングデバイスとしては、たとえば、グールド（Ｇｏｕｌｄ）社の設計、製造になるスイッチを使用することができる。
本発明の一実施形態においては、各列の誤差信号はビデオストリームが黒の期間中に発生させる。アプリオリ情報（a priori information）が、何ボルトが黒の画像に対応するかを決定する。基準電圧２６は、一定の黒ビデオ電圧レベル時に供給することができ、列電圧のサンプリングは、ビデオが黒であることが知られている水平及び／または垂直同期期間中に行うことができ、黒ビデオ電圧レベルは、フラットパネルに印加されるバックプレーン電圧に対して通常ゼロボルトである。システムを電圧レベルがゼロ（黒ビデオ）である固定された期間中に誤差を測定するような形態で実装する場合は、コントローラへの生ビデオストリームの転送は不要である。
本発明の他の実施形態においては、誤差信号は、ディスプレイの正常動作時に特別なグレーシェードを用いて測定することができる。グレーシェードを用いる場合、次の２つの方法で対処することが可能である：１）テスト信号を観察者に可視にする方法、及び２）テスト信号を観察者に不可視にする方法。
上記の第１の方法では、テストグレーシェードを見ることができる。選択されたグレーシェードが表示画像の要素になっていないと、表示画像が乱れたものとなることがある。ある特定グレーレベルについて、画面上での１点を選ぶと、間もなくグレーシェードが現れ、その点及び位置に対応する列ドライブをサンプリングすることができる。これは、ディスプレイパネルに入るビデオストリームがコントローラに供給され、そのビデオ信号の部分が時間的に少なくとも１行走査時間（１０２４×１０２４ピクセルディスプレイの場合で１６マイクロ秒、これは好適な一例の値で、必ずしもこの値である必要はない）だけ上流側にある時可能である。コントローラは、入来ビデオストリームを監視することができれば、正しい列ドライブ出力を選択して測定するようスイッチを設定し、測定結果を評価することができる。コントローラは、テストをセットアップするためのアプリオリ情報を有する。
上記の第２の方法では、目的は、画面上に表示される画像の一部のこともあればそうでないこともある任意に選択された電圧を用いてテスト信号を観察者に見えなくすることである（これは実際には上記の方法を用いて行うことができる）。この場合は、電圧レベルを画面上で１行走査時間またはフレーム時間（通常それぞれ１６マイクロ秒及び１６ミリ秒）あるいは視覚的に気にならないこれらと同程度の短い期間だけ見ることができる。もう一つの方法は、垂直ブランク期間中に既知の電圧を印加するやり方である。テスト電圧が印加されている間は、行を選択しないように行信号をホールドすることも可能である。これは、選択解除モードとして知られている。多くの形態のディスプレイの場合、行選択解除電圧は能動マトリクスでは−１５ボルト、受動マトリクスではｖcutoffまたは約１．５ボルトである。ｖcutoffは液晶をその休止状態からアクティブにするには不十分なエネルギーを供給する電圧である。
ブランキング期間中は、黒ビデオ電圧が印加されるか、または最後に表示された電圧がそのまま維持される。この方法では、代わりに、測定しようとするターゲット電圧をアサートにし、その行のアクティブドライブレベルを取り去ることによってそのターゲット電圧を見えない状態に保つ。最新の行ドライバは、これができるように変更することができ、また好ましい実施形態では、普通のドライバをそのまま使用できるようにドライブすることができる。これは、現在使用可能な制御信号を用いて、行ドライバがアクティブ状態、すなわち能動マトリクスで１０ボルト、受動マトリクスでＶonのような正の電圧から選択解除されるということを意味する。
このために用いるのに好適な制御信号は、クロック信号及びデータイン信号である。クロック信号は、データイン信号からのギャロップする“１”（オン状態論理レベル）を行ドライバ（シフトレジスタの後にパネル用の電圧範囲にするためのレベル変換器と、行線に接続されていてパネルをドライブする増幅器／スイッチを接続したもの）を介して移動させる。最上行から最下行までシフトレジスタを介して“１”を歩進させることによって、クロック及びシフトレジスタはパネルで各行または一対の行を次々にアクティブにする。データイン信号は画面の最上行で１行走査時間の間“１”にセットされ、その後走査が画面の最上行に戻るまで“０”に下げられる。
誤差信号を発生させるために使用する方法に関わらず、比較によって得られるこれらの誤差信号はメモリに記憶され、アプリオリ情報を用いて、誤差信号及びシステムの直流及び交流の電気光学的利得の関数である補正関数が設定される。これらの利得は、温度、画像コヒーレンス、タイミング、経年劣化、液晶材料、偏光子及びドライバオフセットの関数である。コントローラは、これらの修正を行い、修正された誤差信号を誤差補正装置に記憶する。ディスプレイの動作時にある特定の列またはドライバがドライブされると、コントローラはその列またはドライバに関する修正誤差信号を取り出し、該修正誤差信号は加算器または他の適切な経路を介して生ビデオストリームと結合される（通常セレクタ型のドライバには基準電圧が供給される）。
本発明の動作は、次の例によってより良く理解することができる。フラットパネルディスプレイの初期段階においては、ビデオ信号は黒で、このことはその列で測定される電圧は０ボルトのはずであるということを意味する。しかし、たとえば、列Ｎが６０ミリボルトで、セレクタスイッチのオフセットが４ミリボルトであると、電圧測定手段は列Ｎについて電圧を６４ミリボルトと測定する。このとき、記憶装置は、列Ｎについて６４ミリボルトを誤差電圧として誤差メモリに記憶する。次に、コントローラは、現在の垂直同期期間中または多くの期間にわたって次の列を測定し、全ての列または列ブループについて誤差電圧を完全なリストの形に記憶する。
コントローラは、これらの誤差値に適切な利得関数を適用する。たとえば生ビデオストリームが１ピクセル毎に２ボルトの電圧の場合に、列ドライバは、出力が±１０ボルトになるようその電圧を±５の増幅度で増幅する。極性は、液晶に電気メッキ作用が生じるのを防ぐために、奇数／偶数フレームドライブの関数になっている。コントローラは、アプリオリ情報によって、偶数フレームならば、それが偶数フレームであること、そしてシステム利得及び極性が正であることを知る。そのため、この偶数列についての利得は＋５で、加算器に入力すべき誤差は−６４／５ミリボルトとなる。誤差補正装置２９は、−６４／５の値を受け取り、その値は列Ｎに対応する記憶セルに記憶される。ディスプレイの動作時には、誤差補正装置のテーブル７が生ビデオストリームと同期して読み出される。そして、列Ｎについての誤差は直接加算器に読み込まれ、加算器で調整が行われる。加算器は、−６４／５＋生ビデオ信号の電圧を列ドライバに供給する。具体的なタイミング要素及び実装形態は、各システムの最適化条件（コスト、電力消費、サイズ集積化のレベル）に左右される。
セレクタスイッチ１２と列ドライバの間の相互関係を図５に詳細に示す。当技術分野では周知のように、列ドライバは一連のドライバＩＣよりなる（ドライバをパネルに一体化して作り込む新しい技術が生まれつつある）。ドライバＩＣ４２〜４８は、フラットパネルディスプレイ２の所定数の列上に画像信号を供給する。次に、各ドライバＩＣは、列ドライバ内の他の動作用電子回路にも接続されている。本発明の第１の実施形態においては、セレクタスイッチは、各ドライバＩＣに接続された１つのドライバだけと電気的に接続されている。この構成では、各ドライバＩＣに接続された列が、個々のドライバＩＣ内にあるスイッチ素子のためにほぼ同じオフセットを呈するという長所がある。各ＩＣに毎に１列だけ電圧オフセットを測定することによって、そのＩＣ内の他の列について電圧誤差の正確な表現を得ることができる。この設計は、全ての列からセレクタスイッチ１２へ線を接続する必要がないので、簡単である。
図６に本発明の第２の実施形態を示す。この特定の実施形態においては、誤差測定線が個々のＩＣ（または集積ドライバ上のドライバアレイ）の各列に接続されている。この実施形態は、精密な補正が要求される用途の場合に、精密な誤差電圧制御を可能にする。セレクタスイッチは、各ドライバＩＣの各列からの複数の入力をさばくことができるようになっている。
以上、本発明の新規かつ非自明の誤差コンバーゼンス回路について説明した。本願出願人は、上記説明によって本発明を限定しようとするものではなく、本発明は特許請求の範囲の記載によって限定されるものである。
【図１】
0003675826.tif 000002
【図２】
0003675826.tif 000003
【図３】
0003675826.tif 000004
【図４】
0003675826.tif 000005
【図５】
0003675826.tif 000006
【図６】
0003675826.tif 000007